【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
サーバと受信機デバイスを含むシステムであって、
前記サーバは、
メディアセグメントから時間的に重複しているスケーラブルセグメントのセットを導出するための手段であって、時間的に重複しているスケーラブルセグメントの前記セットの適切なサブセットが、前記適切なサブセットだけを使用して品質しきい値で、またはそれを上回って受信機デバイスが前記メディアセグメントをレンダリングすることを可能にするために十分な量のデータを含み、前記メディアセグメントは、複数の連続するセグメントファイルを介して送信されるべき複数の連続するメディアセグメントにセグメント化されるメディアコンテンツからのものである、手段と、
複数の連続するセグメントファイルにおける時間的に重複しているスケーラブルセグメントの前記セットを送信するための手段であって、各メディアセグメントの前記スケーラブルセグメントは、少なくとも2つの連続するセグメントファイルの所定の数にわたって分散され、前記少なくとも2つの連続するセグメントファイルの所定の数の各々は、少なくとも2つのメディアセグメントからのスケーラブルセグメントを含む、手段と
を備え、
前記受信機デバイスは、
複数の連続するセグメントファイルを介して送信されるべき複数の連続するメディアセグメントにセグメント化される前記メディアコンテンツを受信するための手段であって、前記複数の連続するセグメントファイルは、前記メディアセグメントから導出された時間的に重複しているスケーラブルセグメントの前記セットのうちの適切なサブセットを含み、時間的に重複しているスケーラブルセグメントの前記セットのうちの適切なサブセットは、前記適切なサブセットだけを使用して品質しきい値で、またはそれを上回って受信機デバイスが前記メディアセグメントをレンダリングすることを可能にするために十分な量のデータを含む、手段と、
時間的に重複しているスケーラブルセグメントの前記セットのうちの少なくとも1つが損失されたと決定するための手段と、
時間的に重複しているスケーラブルセグメントの前記セットのうちの少なくとも1つが損失されたと決定したことに応答して、前記品質しきい値で、またはそれを上回って、前記メディアセグメントをレンダリングするために、時間的に重複しているスケーラブルセグメントの前記受信された適切なサブセットを使用するための手段と
を備え、
複数の連続するセグメントファイルを介して送信されるべき複数の連続するメディアセグメントにセグメント化される前記メディアコンテンツを受信するための前記手段は、
少なくとも2つの連続するセグメントファイルの所定の数内の、前記メディアセグメントの時間的に重複しているスケーラブルセグメントの前記適切なサブセットを受信するための手段を含み、
前記少なくとも2つの連続するセグメントファイルの各々が、少なくとも2つのメディアセグメントから導出されたスケーラブルセグメントを含み、
各メディアセグメントのすべての前記スケーラブルセグメントを再結合することが、前記メディアセグメントの元の解像度での前記メディアセグメントの再生をもたらすように、各メディアセグメントの前記スケーラブルセグメントが前記メディアセグメントから導出される、システム。
【請求項２】
前記受信機デバイスが、
前記少なくとも2つのメディアセグメントから、時間的に重複しているスケーラブルセグメントの前記セットを導出するために使用された方式の表示を受信するための手段をさらに備える、請求項1に記載のシステム。
【請求項３】
時間的に重複しているスケーラブルセグメントの前記セットのうちの少なくとも1つが損失されたと決定したことに応答して、前記品質しきい値で、またはそれを上回って、前記少なくとも2つのメディアセグメントをレンダリングするために、時間的に重複しているスケーラブルセグメントの前記受信された適切なサブセットを使用するための手段が、
前記受信された表示に基づいて、時間的に重複しているスケーラブルセグメントの前記受信された適切なサブセットを処理するための手段を備える、請求項2に記載のシステム。
【請求項４】
前記少なくとも2つのメディアセグメントから、時間的に重複しているスケーラブルセグメントの前記セットを導出するために使用された方式の表示を受信するための手段が、
前記表示を含むプレイリストファイルを受信するための手段を備える、請求項3に記載のシステム。
【請求項５】
前記受信機デバイスのクライアントが動的適応型HTTPストリーミング(DASH)クライアントであり、前記プレイリストファイルがメディアプレゼンテーション記述(MPD)である、請求項4に記載のシステム。
【請求項６】
時間的に重複しているスケーラブルセグメントの前記適切なサブセットが、1つのスケーラブルセグメントで構成される、請求項3に記載のシステム。
【請求項７】
時間的に重複しているスケーラブルセグメントの前記適切なサブセットが、複数のスケーラブルセグメントで構成される、請求項3に記載のシステム。
【請求項８】
クライアントを含む受信機デバイス上にメディアを提示するための方法であって、
前記受信機デバイスの前記クライアントによって行われる、
複数の連続するセグメントファイルを介して送信されるべき複数の連続するメディアセグメントにセグメント化されるメディアコンテンツを受信するステップであって、前記複数の連続するセグメントファイルは、メディアセグメントから導出された、時間的に重複しているスケーラブルセグメントのセットの適切なサブセットを含み、前記適切なサブセットが、前記適切なサブセットだけを使用して品質しきい値で、またはそれを上回って前記クライアントが前記メディアセグメントをレンダリングすることを可能にするために十分な量のデータを含み、各メディアセグメントの前記スケーラブルセグメントは、少なくとも2つの連続するセグメントファイルの所定の数にわたって分散され、前記少なくとも2つの連続するセグメントファイルの所定の数の各々は、少なくとも2つのメディアセグメントからのスケーラブルセグメントを含む、ステップと、
時間的に重複しているスケーラブルセグメントの前記セットのうちの少なくとも1つが損失されたと決定するステップと、
時間的に重複しているスケーラブルセグメントの前記セットのうちの少なくとも1つが損失されたと決定したことに応答して、前記品質しきい値で、またはそれを上回って、前記メディアセグメントをレンダリングするために、時間的に重複しているスケーラブルセグメントの前記受信された適切なサブセットを使用するステップと
を含み、
複数の連続するセグメントファイルを介して送信されるべき複数の連続するメディアセグメントにセグメント化される前記メディアコンテンツを受信するステップは、
少なくとも2つの連続するセグメントファイルの所定の数内の、前記メディアセグメントの時間的に重複しているスケーラブルセグメントの前記適切なサブセットを受信するステップを含み、
前記少なくとも2つの連続するセグメントファイルの各々が、少なくとも2つのメディアセグメントから導出されたスケーラブルセグメントを含み、
各メディアセグメントのすべての前記スケーラブルセグメントを再結合することが、前記メディアセグメントの元の解像度での前記メディアセグメントの再生をもたらすように、各メディアセグメントの前記スケーラブルセグメントが前記メディアセグメントから導出される、方法。
【請求項９】
前記受信機デバイスの前記クライアントによって、
前記メディアセグメントから、時間的に重複しているスケーラブルセグメントの前記セットを導出するために使用された方式の表示を受信するステップをさらに含み、
前記品質しきい値で、またはそれを上回って、前記メディアセグメントをレンダリングするために、時間的に重複しているスケーラブルセグメントの前記受信された適切なサブセットを使用するステップが、
前記受信された表示に基づいて、時間的に重複しているスケーラブルセグメントの前記受信された適切なサブセットを処理するステップを含む、請求項8に記載の方法。
【請求項１０】
前記受信された表示が、前記メディアセグメントを時間的に重複しているスケーラブルセグメントの前記セットに分割するために前記メディアセグメントに時間的分割方式を適用することによって、時間的に重複しているスケーラブルセグメントの前記セットが前記メディアセグメントから導出されたことを示す、請求項9に記載の方法。
【請求項１１】
前記受信された表示が、前記メディアセグメントを時間的に重複しているスケーラブルセグメントの前記セットに分割するために前記メディアセグメントに空間的分割方式を適用することによって、時間的に重複しているスケーラブルセグメントの前記セットが前記メディアセグメントから導出されたことを示す、請求項9に記載の方法。
【請求項１２】
サーバによって行われる、
メディアセグメントから時間的に重複しているスケーラブルセグメントのセットを導出するステップであって、時間的に重複しているスケーラブルセグメントの前記セットの適切なサブセットが、前記適切なサブセットだけを使用して品質しきい値で、またはそれを上回って受信機デバイスのクライアントが前記メディアセグメントをレンダリングすることを可能にするために十分な量のデータを含み、前記メディアセグメントは、複数の連続するセグメントファイルを介して送信されるべき複数の連続するメディアセグメントにセグメント化されるメディアコンテンツからのものである、ステップと、
複数の連続するセグメントファイルにおける時間的に重複しているスケーラブルセグメントの前記セットを前記受信機デバイスに送信するステップであって、各メディアセグメントの前記スケーラブルセグメントは、少なくとも2つの連続するセグメントファイルの所定の数にわたって分散され、前記少なくとも2つの連続するセグメントファイルの所定の数の各々は、少なくとも2つのメディアセグメントからのスケーラブルセグメントを含む、ステップと
を含み、
前記送信するステップは、少なくとも2つの連続するセグメントファイルの所定の数内で、前記メディアセグメントの時間的に重複しているスケーラブルセグメントの前記セットを前記受信機デバイスに送信するステップを含み、
前記少なくとも2つの連続するセグメントファイルの各々が、少なくとも2つのメディアセグメントから導出されたスケーラブルセグメントを含み、
各メディアセグメントのすべての前記スケーラブルセグメントを再結合することが、前記メディアセグメントの元の解像度での前記メディアセグメントの再生をもたらすように、各メディアセグメントの前記スケーラブルセグメントが前記メディアセグメントから導出される、方法。
【請求項１３】
メディアセグメントから、時間的に重複しているスケーラブルセグメントのセットを導出するステップが、
前記メディアセグメントを、時間的に重複しているスケーラブルセグメントの前記セットに分割するために、前記メディアセグメントに時間的分割方式適用するステップを含む、請求項12に記載の方法。
【請求項１４】
メディアセグメントから、時間的に重複しているスケーラブルセグメントのセットを導出するステップが、
前記メディアセグメントを、時間的に重複しているスケーラブルセグメントの前記セットに分割するために、前記メディアセグメントに空間的分割方式適用するステップを含む、請求項12に記載の方法。
【請求項１５】
プロセッサに、請求項8から11および請求項12から14のいずれか一項に記載の方法を実行させるために、プロセッサ実行可能命令で構成された、非一時的プロセッサ可読記録媒体。